(57)【要約】【課題】ノズル部の洗浄が容易なチューブポンプを提供する。【解決手段】ノズル部１４は本体部１０に対して着脱自在に設けられ、本体部１０はチューブ保持部１１が設けられる前面１０ａに、ノズル部１４を挿通自在なノズル用孔１７と、ノズル用孔１７の近傍に設けられ前面１０ａから突出するノズル係合部１６とを有し、ノズル部１４は、ノズル用孔１７に挿入されて本体部１０内に設けられる液体供給管１５に接続される挿入管部２０と、挿入管部２０から連続すると共に本体部１０の前面１０ａから突出する吐出管部２１とを有し、吐出管部２１にはノズル部１４の回転に伴いノズル係合部１６に対する係合及び非係合状態を切替えることのできる係合鍔部２２が設けられてなる。【選択図】図１
2010168919.tif 000002
【特許請求の範囲】
【請求項１】
液体が流れるチューブを保持するチューブ保持部と、該チューブ保持部に保持されたチューブを長さ方向に順次押し潰してチューブ内の液体を移動させる複数のローラーを有する駆動部とを本体部に備え、該本体部には、前記チューブに流される液体とは別の液体を吐出するノズル部が設けられたチューブポンプにおいて、
前記ノズル部は前記本体部に対して着脱自在に設けられ、前記本体部は前記チューブ保持部が設けられる前面に、前記ノズル部を挿通自在なノズル用孔と、該ノズル用孔の近傍に設けられ前記前面から突出するノズル係合部とを有し、
前記ノズル部は、前記ノズル用孔に挿入されて前記本体部内に設けられる液体供給管に接続される挿入管部と、該挿入管部から連続すると共に前記本体部の前面から突出する吐出管部とを有し、該吐出管部には前記ノズル部の回転に伴い前記ノズル係合部に対する係合及び非係合状態を切替えることのできる係合鍔部が設けられてなることを特徴とするチューブポンプ。
【請求項２】
前記係合鍔部は、前記ノズル部が本体部に対して所定角度で取付けられた状態で、前記ノズル係合部に対して係合状態となることを特徴とする請求項１記載のチューブポンプ。
【請求項３】
前記ノズル係合部は、前記本体部の前面から突出する立ち上がり部と、該立ち上がり部の突端から前記ノズル用孔側に伸びるように形成される係合片部とで、略Ｌ字状をなすように形成されてなることを特徴とする請求項１または２記載のチューブポンプ。
【請求項４】
前記係合鍔部は、前記本体部の前面に当接する本体当接部と、前記ノズル係合部の係合片部に対して当接する係合当接部とが、円周方向に隣接し段差状をなすように形成されることを特徴とする請求項３記載のチューブポンプ。
【請求項５】
前記本体部の液体供給管は先端位置が前記前面と離隔し、前記ノズル部の挿入管部は前記液体供給管の先端より内側まで挿入固定されることを特徴とする請求項１〜４のいずれか１項に記載のチューブポンプ。
【発明の詳細な説明】
【技術分野】
【０００１】
本発明は、複数のローラーでチューブを長さ方向に順次押し潰すことで液体を一定量ずつ供給するチューブポンプに関し、特にチューブで供給される液体と別の液体を供給するノズル部を有したチューブポンプに関する。
【背景技術】
【０００２】
従来、複数のローラーでチューブを長さ方向に順次押し潰すことで液体を一定量ずつ供給するチューブポンプが知られている。チューブポンプは、外気やローラーなどに直接接触することなく、チューブ内において液体を流すことができるので、液体における雑菌の繁殖や異物の混入を防ぐことができ、主に飲料提供装置や医療用装置などにおいて用いられている。
【０００３】
飲料提供装置においては、チューブポンプにより駆動されるチューブに流される液体は、飲料を濃縮したものであることが多く、この場合には飲料の提供にあたってチューブからの液体の他に、水を同時に供給することが必要となる。このため、チューブポンプには、駆動されるチューブとは別系統の水供給部が設けられ、水はノズル部から吐出される。このようなチューブポンプとしては、例えば特許文献１に挙げるようなものがある。
【先行技術文献】
【特許文献】
【０００４】
【特許文献１】特開２００５−３０２５６号公報
【発明の概要】
【発明が解決しようとする課題】
【０００５】
従来のチューブポンプにおいては、水を供給するノズル部は、チューブを保持する本体部に一体的に設けられているか、あるいは本体部とは別部品であって、本体部に対してネジ止めなどによって固定される。ノズル部は、水を供給するためそれほど汚れることはないが、チューブ側に流される濃縮飲料が飛び散ったりすることもあり、定期的には洗浄を行う必要がある。しかし、ノズル部が本体部に一体的に設けられていると、くまなく洗浄を行うことは困難である。また、ノズル部が本体部にネジ止め固定されているような場合も、着脱には手間がかかり、容易に洗浄できるものではなかった。
【０００６】
本発明は前記課題を鑑みてなされたものであり、ノズル部の洗浄が容易なチューブポンプを提供することを目的とする。
【課題を解決するための手段】
【０００７】
前記課題を解決するため、本発明に係るチューブポンプは、液体が流れるチューブを保持するチューブ保持部と、該チューブ保持部に保持されたチューブを長さ方向に順次押し潰してチューブ内の液体を移動させる複数のローラーを有する駆動部とを本体部に備え、該本体部には、前記チューブに流される液体とは別の液体を吐出するノズル部が設けられたチューブポンプにおいて、
前記ノズル部は前記本体部に対して着脱自在に設けられ、前記本体部は前記チューブ保持部が設けられる前面に、前記ノズル部を挿通自在なノズル用孔と、該ノズル用孔の近傍に設けられ前記前面から突出するノズル係合部とを有し、
前記ノズル部は、前記ノズル用孔に挿入されて前記本体部内に設けられる液体供給管に接続される挿入管部と、該挿入管部から連続すると共に前記本体部の前面から突出する吐出管部とを有し、該吐出管部には前記ノズル部の回転に伴い前記ノズル係合部に対する係合及び非係合状態を切替えることのできる係合鍔部が設けられてなることを特徴として構成されている。
【０００８】
また、本発明に係るチューブポンプは、前記係合鍔部は、前記ノズル部が本体部に対して所定角度で取付けられた状態で、前記ノズル係合部に対して係合状態となることを特徴として構成されている。
【０００９】
さらに、本発明に係るチューブポンプは、前記ノズル係合部は、前記本体部の前面から突出する立ち上がり部と、該立ち上がり部の突端から前記ノズル用孔側に伸びるように形成される係合片部とで、略Ｌ字状をなすように形成されてなることを特徴として構成されている。
【００１０】
さらにまた、本発明に係るチューブポンプは、前記係合鍔部は、前記本体部の前面に当接する本体当接部と、前記ノズル係合部の係合片部に対して当接する係合当接部とが、円周方向に隣接し段差状をなすように形成されることを特徴として構成されている。
【００１１】
そして、本発明に係るチューブポンプは、前記本体部の液体供給管は先端位置が前記前面と離隔し、前記ノズル部の挿入管部は前記液体供給管の先端より内側まで挿入固定されることを特徴として構成されている。
【発明の効果】
【００１２】
本発明に係るチューブポンプによれば、ノズル部は本体部に対して着脱自在に設けられ、本体部は前面にノズル用孔とノズル係合部とを有し、ノズル部は、ノズル用孔に挿入される挿入管部と、本体部の前面から突出する吐出管部とを有し、吐出管部にはノズル部の回転に伴いノズル係合部に対する係合及び非係合状態を切替えることのできる係合鍔部が設けられてなることにより、ノズル部を回転により本体部に対して容易に着脱することができるので、ノズル部を取り外して容易にくまなく洗浄でき、また取付も容易に行うことができるので、ノズル部の洗浄作業を容易に行うことができる。
【００１３】
また、本発明に係るチューブポンプによれば、係合鍔部は、ノズル部が本体部に対して所定角度で取付けられた状態で、ノズル係合部に対して係合状態となることにより、ノズル部をノズル係合部に係合させるだけで、ノズル部を所定角度に取付けることができ、ノズル部の取付をさらに容易にすることができる。
【００１４】
さらに、本発明に係るチューブポンプによれば、ノズル係合部は、本体部の前面から突出する立ち上がり部と、立ち上がり部の突端からノズル用孔側に伸びるように形成される係合片部とで、略Ｌ字状をなすように形成されてなることにより、ノズル部の回転に伴い係合鍔部が確実にノズル係合部に係合することができる。
【００１５】
さらにまた、本発明に係るチューブポンプによれば、係合鍔部は、本体部の前面に当接する本体当接部と、ノズル係合部の係合片部に対して当接する係合当接部とが、円周方向に隣接し段差状をなすように形成されることにより、係合鍔部の肉厚を薄くすることができ、段差部分に金型の合わせ目を配置することで、金型からの抜けを良好にすることができる。
【００１６】
そして、本発明に係るチューブポンプによれば、本体部の液体供給管は先端位置が前面と離隔し、ノズル部の挿入管部は液体供給管の先端より内側まで挿入固定されることにより、ノズル部を着脱する際に管内に残留した水が液体供給管の端面付近に付着することなく滴下するので、より清潔な状態とすることができる。
【図面の簡単な説明】
【００１７】
【図１】本実施形態におけるチューブポンプの正面図である。
【図２】チューブポンプの側面図のうち前面側の図である。
【図３】ノズル部の正面図及び右側面図である。
【図４】本体部に対するノズル部の取付工程を表した正面図である。
【図５】図４のＡ−Ａ断面図である。
【発明を実施するための形態】
【００１８】
本発明の実施形態について、図面に沿って詳細に説明する。図１には本実施形態におけるチューブポンプの正面図を、図２にはチューブポンプの側面図のうち前面側を、それぞれ示している。このチューブポンプ１は、飲料提供装置に用いられるものであって、飲料提供装置内に配置される濃縮飲料タンク２に貯留された濃縮飲料を導くチューブ３を保持すると共に、チューブ３内の濃縮飲料を所定量ずつ吐出するようにチューブ３を駆動する。
【００１９】
また、飲料提供装置は濃縮飲料の系統とは別に水を供給する水供給部（図示しない）を有し、水供給部からの水は、チューブポンプ１の前面から突出するノズル部１４により吐出される。チューブ３も、先端部がノズル部１４の近傍に配置されており、チューブ３からの濃縮飲料とノズル部１４からの水は、これらの下方にセットされるカップにおいて混合され、所定の飲料が提供される。
【００２０】
図１及び図２に示すように、チューブポンプ１は、箱状の本体部１０を構成する前面１０ａ側にチューブ３が保持されると共に、ノズル部１４も配置される。本体部１０は、チューブ３を保持するチューブ保持部１１と、チューブ３を駆動する駆動部１２を備えて構成されている。図２に示すように、駆動部１２には複数のローラー１３が円周方向に沿って設けられており、駆動部１２が回転することで、ローラー１３がチューブ３を長さ方向に順次押し潰していくことにより、チューブ３内の濃縮飲料を所定量ずつ流すことができる。
【００２１】
本体部１０に設けられるノズル部１４は、本体部１０に対して着脱自在となるように別体で設けられる。図３には、ノズル部１４の正面図及び右側面図を示している。これらの図に示すように、ノズル部１４は本体部１０に対して挿抜方向に伸びる挿入管部２０と、挿入管部２０より手前側に伸びると共に先端側が下方に向かって略Ｌ字状に折れ曲がってなる吐出管部２１とが連続的に形成されている。
【００２２】
ノズル部１４は、挿入管部２０が本体部１０に対して挿入されて内部で液体供給管１５と連結され、液体供給管１５から供給される水は挿入管部２０に進入し、吐出管部２１の先端から下方に向かって吐出される。挿入管部２０の端部近傍には、円周方向に沿って凹状の段部２０ａが形成されており、Ｏリング２０ｂを装着することができるようにされている。
【００２３】
また、吐出管部２１の挿入管部２０側端部には、円周方向に沿って係合鍔部２２が形成されている。係合鍔部２２は、正面視において円周方向の一部を切り欠いた円形をなすように形成されており、本体部１０に対してノズル部１４を回転させることにより係脱自在となるものである。図２に示されているように、本体部１０の前面１０ａには、突出状にノズル係合部１６が形成されており、このノズル係合部１６に対してノズル部１４の係合鍔部２２が係脱する。
【００２４】
図３（ａ）において時計の１２時から３時に相当する領域は、図３（ｂ）に示されているように、それ以外の領域に対して前方に張り出すように段差状に形成されている。当該領域は、図２に示されているように、本体部１０に係合した際においてノズル係合部１６に対して当接する係合当接部２２ａとなっている。一方、係合当接部２２ａよりも奥側となる領域は、図２に示されているように、本体部１０に係合した際において前面１０ａに対して当接する本体当接部２２ｂとなっている。
【００２５】
ノズル部１４は、樹脂材を金型により成形して形成されるが、上下の金型の合わせ目は、図３（ｂ）の破線で示したラインであり、このラインを境として係合当接部２２ａと本体当接部２２ｂが段差状となるように形成されている。これによって、係合鍔部２２は本体部１０の前面１０ａとノズル係合部１６の両方に当接して係合することができると共に、各部の肉厚が大きくなりすぎないように薄肉状に形成することができる。係合鍔部２２が肉厚状であると、成形後における金型からの抜けが悪くなるが、このように係合鍔部２２を段差状として各部を薄肉状に形成していることで、金型からの抜けを良好にすることができる。
【００２６】
次に、ノズル部１４の係脱について詳細に説明する。ノズル部１４は、図１に示すように本体部１０の前面１０ａにおいて、吐出管部２１が本体部１０の中心側斜め下方を向くように配置されており、この状態で本体部１０のノズル係合部１６に対して係合された状態となっている。ノズル係合部１６は、図２に示すように、本体部１０の前面１０ａから突出する立ち上がり部１６ａと、立ち上がり部１６ａの突端位置からノズル部１４側となる下方に伸びる係合片部１６ｂとで、略Ｌ字状をなすように形成されている。
【００２７】
ノズル部１４の係合鍔部２２は、互いに対向する本体部１０の前面１０ａとノズル係合部１６の係合片部１６ｂとに挟まれるように係合する。図４には、本体部１０に対するノズル部１４の取付工程を表した正面図を示している。なお、ここでは簡単のため、本体部１０に付属するものは省略して示している。
【００２８】
図４（ａ）に示すように、本体部１０の前面１０ａにはノズル部１４を挿入自在なノズル用孔１７が形成されている。ノズル係合部１６は、ノズル用孔１７の上側近傍に形成されており、係合片部１６ｂは立ち上がり部１６ａからノズル用孔１７側に伸びている。
【００２９】
ここで、図４（ｂ）に示すように、本体部１０のノズル用孔１７に対してノズル部１４の挿入管部２０を挿入する。この際、ノズル部１４は係合鍔部２２の円形が切り欠かれた部分を上方、すなわちノズル係合部１６側に向けた状態とする。これにより、係合鍔部２２がノズル係合部１６に干渉することなく、挿入管部２０をノズル用孔１７に挿入することができる。そして、本体部１０内においては、挿入管部２０がさらに液体供給管１５に対して挿入され接続される。
【００３０】
ノズル部１４を本体部１０のノズル用孔１７に挿入したら、図４（ｃ）に示すように、ノズル部１４を回転させて所定の角度となるようにする。これに伴い、ノズル部１４の係合鍔部２２を構成する係合当接部２２ａは、本体部１０の前面１０ａとノズル係合部１６の係合片部１６ｂとの間の領域に進入し、また係合鍔部２２の本体当接部２２ｂは本体部１０の前面１０ａに当接しているので、係合鍔部２２はノズル係合部１６に対して係合された状態となる。
【００３１】
ノズル部１４を本体部１０から取り外す場合には、これと逆の工程を行う。すなわち、図４（ｃ）の状態からノズル部１４を回転させて、係合鍔部２２のノズル係合部１６に対する係合状態を解除し、図４（ｂ）の状態としてノズル部１４を本体部１０から引き抜く。
【００３２】
このように、ノズル部１４を本体部１０に対して着脱自在とし、ノズル部１４には本体部１０のノズル係合部１６に対して回転により係脱自在な係合鍔部２２を設けたことにより、ノズル部１４を本体部１０に対して容易に着脱することができ、ノズル部１４を本体部１０から取り外して容易にくまなく洗浄すると共に、本体部１０に対し容易に取付けることができる。
【００３３】
図５には、図４のＡ−Ａ断面図を示している。この図に示すように、本体部１０の前面１０ａより内側には、前述の通り液体供給管１５が配置されており、ノズル部１４の挿入管部２０は液体供給管１５の端部から内部に挿入されると共に、Ｏリング２０ｂにより水密性を確保するようにしている。
【００３４】
本体部１０内の液体供給管１５は、先端の端面が前面１０ａと離隔して対向するように配置されている。したがって、前面１０ａと液体供給管１５の間は、ノズル部１４によって繋がれることとなる。
【００３５】
液体供給管１５と前面１０ａとが離隔しておらず、または極めて近接している場合には、ノズル部１４が取り外された際に管内に残留した水が、液体供給管１５の端面と前面１０ａとの間に滴下しないまま付着することがある。本実施形態では、液体供給管１５の端面が前面１０ａと離隔し対向するように配置されていることにより、ノズル部１４が取り外された際において、管内に残留した水が液体供給管１５の端面付近に付着した状態となることを防ぐことができる。これによって、液体供給管１５をより清潔な状態に保つことができる。
【００３６】
以上、本発明の実施形態について説明したが、本発明の適用は本実施形態には限られず、その技術的思想の範囲内において様々に適用されうるものである。
【符号の説明】
【００３７】
１    チューブポンプ
２    濃縮飲料タンク
３    チューブ
１０    本体部
１０ａ  前面
１１    チューブ保持部
１２    駆動部
１３    ローラー
１４    ノズル部
１５    液体供給管
１６    ノズル係合部
１６ａ  立ち上がり部
１６ｂ  係合片部
１７    ノズル用孔
２０    挿入管部
２１    吐出管部
２２    係合鍔部
２２ａ  係合当接部
２２ｂ  本体当接部
【図１】
2010168919.tif 000003
【図２】
2010168919.tif 000004
【図３】
2010168919.tif 000005
【図４】
2010168919.tif 000006
【図５】
2010168919.tif 000007